(57)【要約】
【課題】  個性的であるとともに、従来にない斬新なデザインで他の結婚式用印刷物と差別化を図ることができる結婚式用印刷物を提供する。
【解決手段】  披露宴用招待状１が円形状の用紙７によって形成され、その用紙７に矩形状の折り目７Ａを形成し、この各折り目７Ａに沿って各用紙を矩形状に折り畳む。折り畳んだ円形状の用紙７をシール材10で閉じた状態で保持する。これにより、折り畳んだ状態においては、一見すると通常の矩形状の披露宴用招待状１であるものの、開くと円形となり、斬新なデザインでユニークな結婚式用印刷物を提供できる。
【選択図】        図２
0003101122.tif 000002
【実用新案登録請求の範囲】
【請求項１】
少なくとも結婚式の披露宴用招待状、席次表、披露宴用メニューを備えた結婚式用印刷物であって、前記披露宴用招待状、席次表、披露宴用メニューが円形状の用紙によって形成されていることを特徴とする結婚式用印刷物。
【請求項２】
前記披露宴用招待状、席次表、披露宴用メニューの用紙を矩形状に折り畳んだことを特徴とする請求項１記載の結婚式用印刷物。
【請求項３】
前記披露宴用招待状、席次表、披露宴用メニューの内面に招待文、席次、披露宴用メニューなどの必要な文字が印刷するとともに、前記用紙に矩形状の折り目を形成し、この折り目に沿って各用紙を折り畳むとともに、その折り畳んだ円形状の用紙をシール材で閉じた状態で保持したことを特徴とする請求項１又は２記載の結婚式用印刷物。
【考案の詳細な説明】
【技術分野】
【０００１】
本考案は、結婚式・披露宴で使用する招待状、席次表、披露宴用メニュー及びそれに関連する各種書類を含めた結婚式用印刷物に関する。
【背景技術】
【０００２】
近年、結婚式・披露宴で使用する招待状、席次表、披露宴で提供される会食用のメニューなどは使用する紙質やデザイン、色調などが統一され、これがセットとして使用者に提供されている。このような結婚式用印刷物は、利用者が複数の規格化されたセットのうち、気に入った結婚式用印刷物を選択するようにしている。
【考案の開示】
【考案が解決しようとする課題】
【０００３】
しかしながら、こうした結婚式用印刷物は、ほとんど矩形状であり、デザイン的に平凡なものが多く、変化に乏しいものであった。
【０００４】
そこで、本考案は上記のような従来技術の問題点に鑑みて、個性的であるとともに、従来にない斬新なデザインで他の結婚式用印刷物と差別化を図ることができる結婚式用印刷物を提供することを目的とする。
【課題を解決するための手段】
【０００５】
上記目的を達成するために、本考案の結婚式用印刷物は、少なくとも結婚式の披露宴用招待状、席次表、披露宴用メニューを備えた結婚式用印刷物であって、前記披露宴用招待状、席次表、披露宴用メニューが円形状の用紙によって形成されていることを特徴とする。
【０００６】
披露宴用招待状、席次表、披露宴用メニューが円形状とすることで従来にない斬新なデザインとなる。
【０００７】
ここで、前記披露宴用招待状、席次表、披露宴用メニューの用紙を矩形状に折り畳んだ構成であってもよい。
【０００８】
このように構成した本考案に係る結婚式用印刷物によれば、折り畳んだ状態においては、矩形状であり、一見すると通常の矩形状の結婚式用印刷物であるが、開いた際、円形となり、従来にない斬新なデザインとなる。
【０００９】
ここで、前記披露宴用招待状、席次表、披露宴用メニューの内面に招待文、席次、披露宴用メニューなどの必要な内容が印刷するとともに、折り畳んだ円形状の用紙をシール部材で閉じた状態で保持するように構成してもよい。
【００１０】
このように構成した場合は、シール部材によって折り畳んだ招待文、席次、披露宴用メニューを閉じた状態で保持することができる。
【考案の効果】
【００１１】
本考案の請求項１に記載の結婚式用印刷物は、少なくとも結婚式の披露宴用招待状、席次表、披露宴用メニューを備えた結婚式用印刷物であって、前記披露宴用招待状、席次表、披露宴用メニューが円形状の用紙によって形成されているものであるから、従来の矩形状ではない円形の用紙によって、披露宴用招待状、席次表、披露宴用メニューが形成されているから、斬新なデザインでユニークな結婚式用印刷物を提供できるとともに、他の結婚式用印刷物と差別化を図ることができる。
【００１２】
本考案の請求項２に記載の結婚式用印刷物は、請求項１記載の結婚式用印刷物において、前記披露宴用招待状、席次表、披露宴用メニューの用紙を矩形状に折り畳んだものであるから、一見すると通常の矩形状の結婚式用印刷物であるものの、開くと円形となり、斬新なデザインでユニークな結婚式用印刷物を提供できるとともに、他の結婚式用印刷物と差別化を図ることができる。
【００１３】
本考案の請求項３に記載の結婚式用印刷物は、前記請求項１又は２記載の結婚式用印刷物において、前記披露宴用招待状、席次表、披露宴用メニューの内面に招待文、席次、披露宴用メニューなどの必要な内容が印刷するとともに、折り畳んだ円形状の用紙をシール材で閉じた状態で保持したものであるから、招待文、席次、披露宴用メニューを閉じた状態で保持することができる。
【考案を実施するための最良の形態】
【００１４】
以下図面を参照して、本考案の好適な実施形態について説明する。
【００１５】
まず、本考案に係る結婚式用印刷物の一実施形態の構成について、添付図面を参照して説明する。
【００１６】
本考案に係る結婚式用印刷物は、披露宴用招待状１、席次表２、披露宴用メニュー３からなる。
【００１７】
図１〜図４に示すように、披露宴用招待状１、席次表２、披露宴用メニュー３は、それぞれ挨拶文,招待者の席次、メニュー等の必要な文字４,５,６が印刷された用紙７,８,９によって形成され、これら用紙７,８,９は全て円形状に形成されている。そして、前記各用紙７,８,９に矩形状の折り目７Ａ,８Ａ,９Ａをそれぞれ形成し、この各折り目７Ａ,８Ａ,９Ａに沿って各用紙を矩形状に折り畳み、その折り畳んだ円形状の用紙７,８,９をシール材10,11,12で閉じた状態で保持する。
【００１８】
このように、披露宴用招待状１、席次表２、披露宴用メニュー３からなる結婚式用印刷物において、披露宴用招待状１、席次表10、披露宴用メニュー20のそれぞれを円形状の用紙７,８,９で形成しているものであるから、従来の有り触れた矩形の披露宴用招待状、席次表、披露宴用メニューにはない斬新なデザインでユニークな結婚式用印刷物を提供できる。しかも、これら披露宴用招待状１、席次表10、披露宴用メニュー20が矩形状に折り畳まれており、折り畳んだ状態においては、一見すると通常の矩形状の結婚式用印刷物であるものの、開くと円形となるから、斬新なデザインでユニークな結婚式用印刷物を提供できるとともに、他の結婚式用印刷物と差別化を図ることができる。
【００１９】
また、折り畳んだ円形状の用紙７,８,９はシール材10,11,12によって閉じた状態で保持でき、用紙７,８,９が不用意に展開することもない。
【００２０】
以上、本考案に係る結婚式用印刷物について添付図面を参照して説明してきたが、本考案は上記実施形態に限定されるものではなく、本考案の思想の範囲内で種々の変形実施が可能である。例えば、披露宴用招待状１、席次表２、披露宴用メニュー３の形状、デザインなどは適宜選定すればよい。
【図面の簡単な説明】
【００２１】
【図１】本考案に係る披露宴用招待状を閉じた状態の正面図である。
【図２】本考案に係る披露宴用招待状を開いた状態の正面図である。
【図３】本考案に係る席次表の構成を示し、図３（ａ）は席次表を閉じた状態の正面図、図３（ｂ）は席次表を開いた状態の正面図である。
【図４】本考案に係る披露宴用メニューの構成を示し、図４（ａ）は披露宴用メニューを閉じた状態の正面図、図４（ｂ）は披露宴用メニューを開いた状態の正面図である。
【符号の説明】
【００２２】
１      披露宴用招待状
２      席次表
３      披露宴用メニュー
７,８,９      用紙
７Ａ,８Ａ,９Ａ      折り目
10,11,12      シール材
【図１】
0003101122.tif 000003
【図２】
0003101122.tif 000004
【図３】
0003101122.tif 000005
【図４】
0003101122.tif 000006